(57)【要約】【課題】返信用の封書作成用紙片に記入した個人情報が、外部から認識できない状態で表示できる３つ折り封書用帳票を提供する。【解決手段】第１のシート状基材と、前記第１のシート状基材と同一寸法で形成され、前記第１のシート状基材上に貼付されている第２のシート状基材とからなり、第１のシート状基材と第２のシート状基材とが重ねられた状態で、横方向に観音折りさせて封筒を作成する３つ折り封書用帳票で、第１のシート状基材は、上下端辺から所定間隔をあけて横方向に切り取りミシンが形成され、更に、横方向に対して略三等分する位置に、それぞれ折り畳み用ミシンが縦方向に形成されて、左側から、第１紙片部、第２紙片部、第３紙片部、に区分けされた紙片部を有し、第１紙片部の上面には、上下端辺及び左側端辺に沿って粘着剤が塗布された粘着剤塗布領域と、前記粘着剤塗布領域を除く領域に接着剤が塗布された接着剤塗布領域とを有する。【選択図】        図１
2010046801.tif 000002
【特許請求の範囲】
【請求項１】
横方向に長い矩形状を有する第１のシート状基材上に、前記第１のシート状基材と同一寸法で形成された第２のシート状基材が貼付された構成を有し、前記第１のシート状基材と前記第２のシート状基材とが重ねられた状態で、横方向に観音折りさせて封筒を作成する３つ折り封書用帳票であって、
前記第１のシート状基材は、上下端辺から所定間隔をあけて横方向に切り取りミシンが形成され、更に、横方向に対して略三等分する位置に、それぞれ折り畳み用ミシンが縦方向に形成されて、左側から右側方向に、第１紙片部、第２紙片部、第３紙片部、に区分けされた紙片部を有し、
前記第１紙片部の上面には、上下端辺及び左側端辺に沿って粘着剤が塗布された粘着剤塗布領域と、前記粘着剤塗布領域を除く領域に接着剤が塗布された接着剤塗布領域とを有し、
前記第２紙片部の上面には、接着剤が塗布された接着剤塗布領域を有し、
前記第３紙片部の上面には、上下端辺に沿って粘着剤が塗布された粘着剤塗布領域と、前記粘着剤塗布領域を除く領域に接着剤が塗布された接着剤塗布領域とを有し、
前記第２のシート状基材は、前記第１のシート状基材に形成された２本の折り畳み用ミシンと重なる位置に、それぞれ２本の折り畳み用ミシンが形成され、左側から右側方向に、第４紙片部、第５紙片部、第６紙片部、に区分けされた紙片部を有し、
前記第４紙片部の裏面には、前記第１紙片部の前記粘着剤塗布領域と重なる領域に剥離剤が塗布された剥離剤塗布領域を有し、また、前記第４紙片部は、前記第１紙片部の前記粘着剤塗布領域と前記接着剤塗布領域との境となる位置と重なる位置に切り込み線が形成され、
前記第５紙片部は、前記第２紙片部に形成された２本の切り取りミシンと重なる位置に、それぞれ２本の切り取りミシンが形成され、
前記第６紙片部の裏面には、前記第３紙片部の前記粘着剤塗布領域と重なる領域に剥離剤が塗布された剥離剤塗布領域を有し、また、前記第６紙片部は、前記第３紙片部の前記粘着剤塗布領域と前記接着剤塗布領域との境となる位置と重なる位置に切り込み線が形成されていることを特徴とする３つ折り封書用帳票。
【請求項２】
前記第５紙片部の表面側に、前記３つ折り封書用帳票で作成された封書の宛先記載部が設けられていることを特徴とする請求項１記載の３つ折り封書用帳票。
【発明の詳細な説明】
【技術分野】
【０００１】
本発明は、横方向に３つに観音折りさせて封筒を作成するための帳票であって、内部に表示された情報を、第三者が外部から透かして盗み見ることができないようにした３つ折り封書用帳票に関する。
【背景技術】
【０００２】
従来、住所変更届、講座振替申し込み、アンケート等を郵送にて行なう場合には、封筒に返信用の葉書や、返信用の封筒を書類とともに同封して顧客に送付し、それらを受け取った顧客が、返信用の葉書に必要事項を記入、または同封した封書に必要事項を記入した書類を入れて返送するなどしている。
しかしながら、封筒に返信用の葉書を同封して返送してもらう場合には、返信葉書に記入された内容が第三者に簡単に見られてしまうので、個人情報の漏洩の危険性があると共に、葉書であることから記入スペースに限りがあり返信情報量が少なく、多くの情報を表示する必要がある場合には使用できないという問題がある。
また、封筒を予め同封させて顧客に郵送する場合には、封筒を用意するコストや手間がかかるという問題がある。
【０００３】
また、例えば、入会申込書などの申込書を封書化させて郵送する場合には、図８に示すように、申込者側が不要部分の切り取りを行い、所定部分に糊付けを行なった後に巻き折りすることで、返信用の封書を作成することができるように構成された巻き折り加工用紙３０などが知られている。
このような返信用の封書作成用紙を有する巻き折り用紙については、既に種々の仕様のものが知られている。（例えば、特許文献１〜４参照）
【０００４】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００５】
しかしながら、従来の返信用の封書作成用紙を有する用紙は、返信用の封書を作成する際に、糊代部分に顧客が自分で糊付けを行なわなければならないので不便であるという問題がある。
また、顧客が、返信用の封書作成用紙片に個人情報を直接記入した場合には、筆圧により用紙に凹凸が形成されたり、筆跡が封書の外側から透かして見えたりして、記入事項が認識しやすく、個人情報が漏洩する危険性が高いという問題がある。
【発明の開示】
【発明が解決しようとする課題】
【０００６】
そこで、本発明は、返信用の封書を作成する際に、糊代部分に顧客が自分で糊付けを行なう必要がなく、また、顧客が返信用の封書作成用紙片に記入した個人情報が、外部から認識できない状態で表示でき、更に、葉書を使用した場合よりも多くの情報表示スペースを確保することができる３つ折り封書用帳票を提供する。
【課題を解決するための手段】
【０００７】
本発明の３つ折り封書用帳票は、横方向に長い矩形状を有する第１のシート状基材上に、前記第１のシート状基材と同一寸法で形成された第２のシート状基材が貼付された構成を有し、前記第１のシート状基材と前記第２のシート状基材とが重ねられた状態で、横方向に観音折りさせて封筒を作成する３つ折り封書用帳票であって、前記第１のシート状基材は、上下端辺から所定間隔をあけて横方向に切り取りミシンが形成され、更に、横方向に対して略三等分する位置に、それぞれ折り畳み用ミシンが縦方向に形成されて、左側から右側方向に、第１紙片部、第２紙片部、第３紙片部、に区分けされた紙片部を有し、前記第１紙片部の上面には、上下端辺及び左側端辺に沿って粘着剤が塗布された粘着剤塗布領域と、前記粘着剤塗布領域を除く領域に接着剤が塗布された接着剤塗布領域とを有し、前記第２紙片部の上面には、接着剤が塗布された接着剤塗布領域を有し、前記第３紙片部の上面には、上下端辺に沿って粘着剤が塗布された粘着剤塗布領域と、前記粘着剤塗布領域を除く領域に接着剤が塗布された接着剤塗布領域とを有し、前記第２のシート状基材は、前記第１のシート状基材に形成された２本の折り畳み用ミシンと重なる位置に、それぞれ２本の折り畳み用ミシンが形成され、左側から右側方向に、第４紙片部、第５紙片部、第６紙片部、に区分けされた紙片部を有し、前記第４紙片部の裏面には、前記第１紙片部の前記粘着剤塗布領域と重なる領域に剥離剤が塗布された剥離剤塗布領域を有し、また、前記第４紙片部は、前記第１紙片部の前記粘着剤塗布領域と前記接着剤塗布領域との境となる位置と重なる位置に切り込み線が形成され、前記第５紙片部は、前記第２紙片部に形成された２本の切り取りミシンと重なる位置に、それぞれ２本の切り取りミシンが形成され、前記第６紙片部の裏面には、前記第３紙片部の前記粘着剤塗布領域と重なる領域に剥離剤が塗布された剥離剤塗布領域を有し、また、前記第６紙片部は、前記第３紙片部の前記粘着剤塗布領域と前記接着剤塗布領域との境となる位置と重なる位置に切り込み線が形成されていることを特徴とする。
【０００８】
また、本発明の３つ折り封書用帳票は、前記第５紙片部の表面側に、前記３つ折り封書用帳票で作成された封書の宛先記載部が設けられていることを特徴とする。
【発明の効果】
【０００９】
したがって、本発明の３つ折り封書用帳票は、第２のシート状基材に形成された切り込み線から区分けされる外側の部分を剥離させることで、予め塗布された粘着剤を用いて、観音折りさせて３つ折り封書を作成できるので、返信用の封書を作成する際に、糊代部分に顧客が自分で糊付けを行なう必要がなく封書の作成を行なうことができ、また、第１のシート状基材と第２のシート状基材とが重ね合わされた構成を有していることから、顧客が返信用の封書作成用紙片に記入した個人情報を、外部から認識できない状態で送ることができ、更に、葉書を使用した場合よりも多くの情報表示スペースを確保することができるという効果がある。
【発明を実施するための最良の形態】
【００１０】
以下、本発明の実施形態に係る３つ折り封書用帳票を図面に基づいて詳細に説明する。
図１には、本発明の実施形態に係る３つ折り封書用帳票を表面側から見た場合の平面図であり、図２には、本発明の実施形態に係る３つ折り封書用帳票を横方向に裏返した状態を示す平面図であり、図３は、本発明の実施形態に係る３つ折り封書用帳票を表面側から見た場合であって、第１のシート状基材と第２のシート状基材とを分離させた状態を示す平面図であり、図４は、本発明の実施形態に係る３つ折り封書用帳票を横方向に裏返した状態とし、更に、第１のシート状基材と第２のシート状基材とを分離させた状態を示す平面図であり、図５は、図１のＡ−Ａ線断面図であり、図６は、図１のＢ−Ｂ線断面図であり、図７は、本発明の実施形態に係る３つ折り封書用帳票の使用方法を説明する図であり、図８は、従来の入会申込書などの申込書を封書化させて郵送する場合に用いる封書用帳票の平面図である。
【００１１】
実施形態に係る３つ折り封書用帳票１は、図１乃至図５に示すように、横方向に長い矩形状を有する第１のシート状基材２上に、前記第１のシート状基材２と同一寸法で形成された第２のシート状基材３が貼付された構成を有し、前記第１のシート状基材２と前記第２のシート状基材３とが重ねられた構成を有している。
そして、３つ折り封書用帳票１から封筒を作成する場合には、第１のシート状基材２と第２のシート状基材３とが重ねられた状態で横方向に観音折りさせた後に接着させて封筒を作成する
尚、図１の平面図では、第２のシート状基材３が、第１のシート状基材２上に貼付されていることから第２のシート状基材３の表面側だけが示されている。
【００１２】
図３には、３つ折り封書用帳票１の構成をわかりやすくするために、第１のシート状基材２から第２のシート状基材３を剥離させて分離させた状態を示す平面図が示されている。
図３に示すように、第１のシート状基材２の上下端縁付近には、各々上下端辺から所定間隔をあけて横方向に切り取りミシン４ａ，４ｂが形成されている。
また、図５の断面図に示すように、第１のシート状基材２は、略等間隔に３つ折りすることで区分けされる紙片として、左側から順番に、第１紙片部２ａ、第２紙片部２ｂ、第３紙片部２ｃ、に区分けされた紙片部を有し、また、第１のシート状基材２上に重ねられた第２のシート状基材３は、略等間隔に３つ折りすることで区分けされる紙片として、左側から順番に、第４紙片部３ａ、第５紙片部３ｂ、第６紙片部３ｃ、に区分けされた紙片部を有する。
【００１３】
図３に示すように、第１のシート状基材２の第１紙片部２ａの上面には、上下端辺及び左側端辺に沿って粘着剤５が塗布された粘着剤塗布領域を有している。
また、第１紙片部２ａの上面の粘着剤５が塗布された粘着剤塗布領域を除く領域には、接着剤６が塗布された接着剤塗布領域を有している。
次に、第１のシート状基材２の第２紙片部２ｂの上面には、接着剤７が塗布された接着剤塗布領域を有している。
更に、第１のシート状基材２の第３紙片部２ｃの上面には、上下端辺に沿って粘着剤８が塗布された粘着剤塗布領域と、前記粘着剤８が塗布された粘着剤塗布領域を除く領域に接着剤９が塗布された接着剤塗布領域とを有している。
【００１４】
第１のシート状基材２には、横方向の寸法を略３等分する位置に、縦方向に折り畳み用ミシン１０ａ，１０ｂが平行して形成されている。
また、第２のシート状基材３にも、第１のシート状基材２に形成された折り畳み用ミシン１０ａ，１０ｂと重なる位置に、それぞれ折り畳み用ミシン１１ａ，１１ｂが形成されている。
【００１５】
第２のシート状基材３の第４紙片部３ａの裏面には、第１のシート状基材２の第１紙片部２ａの粘着剤５が塗布された粘着剤塗布領域と重なる領域に、剥離剤１２が塗布された剥離剤塗布領域を有している。
また、第２のシート状基材３の第４紙片部３ａは、第１のシート状基材２の第１紙片部２ａの粘着剤５が塗布された粘着剤塗布領域と、接着剤６が塗布された接着剤塗布領域との境となる位置とが重なる位置に、切り込み線１３が形成されている。
【００１６】
第２のシート状基材３の第５紙片部３ｂは、第１のシート状基材２の第２紙片部２ｂに形成された２本の切り取りミシン４ａ，４ｂと重なる位置に、それぞれ２本の切り取りミシン１４ａ，１４ｂが形成されている。
また、第２のシート状基材３の第６紙片部３ｃの裏面には、第１のシート状基材２の第３紙片部２ｃの粘着剤８が塗布された粘着剤塗布領域と重なる２つの領域に、剥離剤２０が塗布された剥離剤塗布領域を有している。
更に、第６紙片部３ｃは、第１のシート状基材２の第３紙片部２ｃの粘着剤８が塗布された粘着剤塗布領域と、接着剤９が塗布された接着剤塗布領域との境となる位置と重なる位置に、横方向に切り込み線１６ａ，１６ｂが平行して形成されている。
【００１７】
また、第１のシート状基材２の第１紙片部２ａには、第２のシート状基材３の第４紙片部３ａに形成された切り込み線１３と重なる位置に、縦方向の切り取りミシン１７が形成されている。
更に、第１のシート状基材２の第１紙片部２ａには、横方向の切り取りミシン４ａと、縦方向の切り取りミシン１７とが交差する角部分に、三角形状の切り欠き部１８が設けられている。
この三角形状の切り欠き部１８は、３つ折り封書用帳票１を３つ折りして密封した封書を作成した後において、開封する際に、切り欠き部１８から指を引っ掛けることで開封を行いやすいように設けられている。
また、第２のシート状基材３の第５紙片部３ｂの表面側には、３つ折り封書用帳票で作成された封書を郵送する際に宛名情報を記載する宛先記載部１９が設けられている。
【００１８】
次に、３つ折り封書用帳票１の使用方法を、図７に基づいて説明する。
３つ折り封書用帳票１の使用者は、第１のシート状基材２及び第２のシート状基材３に所望の伝達情報を記入、またはプリンタで印字するなどして表示すると共に、第２のシート状基材３の第６紙片部３ｃの表面の宛先記載部１９に宛先情報を表示させる。
【００１９】
そして、図７（ａ）に示すように、第２のシート状基材３の第３紙片部３ｃから、切り込み線１５ａで区画された外側の部分３ｃ−１を剥離させる。
また、同様に第２のシート状基材３の第３紙片部３ｃから、切り込み線１５ｂで区画された外側の部分３ｃ−２を剥離させる。
これにより、第１のシート状基材２の第３紙片部２ｃにおいて、粘着剤８が塗布された複数の粘着剤塗布領域が表出して、粘着剤８による貼り付けが可能な状態となる。
【００２０】
次に、図７（ｂ）に示すように、３つ折り封書用帳票１を、２つの折り畳み用ミシン１０ｂ，１１ｂが重なっている部分から２つに折り畳み、粘着剤８が塗布された粘着剤塗布領域を押し付けることで、接着状態とする。
更に、図７（ｃ）に示すように、２つの折り畳み用ミシン１０ａ，１１ａが重なっている部分から２つに折り畳み、粘着剤５が塗布された粘着剤塗布領域を押し付けることで、接着状態とすることで、観音折りされた３つ折り封書を作成させる。
その後、この３つ折り封書を郵便ポストに投函するなどして郵送する。
【００２１】
次に、３つ折り封書の受取人が開封する際には、図７（ｃ）に示すように、２本の横方向の切り取りミシン１４ａ，１４ｂ及び縦方向の切り取りミシン１７から切り取ることで、観音折りされた３つ折り封書を簡単に開封することができる。
【００２２】
上記のように、本発明の３つ折り封書用帳票は、返信用の封書を作成する際に、予め第１のシート状基材２に塗布されている粘着剤を使用することで、封書の作成を行なえるように構成され、また、個人情報が記入される部分が、第１のシート状基材と第２のシート状基材が重ねられた内側の基材に位置する構成を有しているので、顧客が返信用の封書作成用紙片に記入した内容が、外部から認識できない状態で表示でき、更に、葉書を使用した場合よりも多くの情報表示スペースを確保することができるようにものである。
【図面の簡単な説明】
【００２３】
【図１】本発明の実施形態に係る３つ折り封書用帳票を表面側から見た場合の平面図である。
【図２】本発明の実施形態に係る３つ折り封書用帳票を横方向に裏返した状態を示す平面図である。
【図３】本発明の実施形態に係る３つ折り封書用帳票を表面側から見た場合であって、第１のシート状基材と第２のシート状基材とを分離させた状態を示す平面図である。
【図４】本発明の実施形態に係る３つ折り封書用帳票を横方向に裏返した状態とし、更に、第１のシート状基材と第２のシート状基材とを分離させた状態を示す平面図である。
【図５】図１のＡ−Ａ線断面図である。
【図６】図１のＢ−Ｂ線断面図である。
【図７】本発明の実施形態に係る３つ折り封書用帳票の使用方法を説明する図である。
【図８】従来の入会申込書などの申込書を封書化させて郵送する場合に用いる封書用帳票の平面図である。
【符号の説明】
【００２４】
１  ３つ折り封書用帳票
２  第１のシート状基材
２ａ  第１紙片部
２ｂ  第２紙片部
２ｃ  第３紙片部
３  第２のシート状基材
３ａ  第４紙片部
３ｂ  第５紙片部
３ｃ  第６紙片部
４ａ，４ｂ，１４ａ，１４ｂ，１７，  切り取りミシン
５，８  粘着剤
６，７，９  接着剤
１０ａ，１０ｂ，１１ａ，１１ｂ  折り畳み用ミシン
１２，２０  剥離剤
１３  切り込み線
１８  切り欠き部
１９  宛先記載部
３０  巻き折り加工用紙
【図１】
2010046801.tif 000003
【図２】
2010046801.tif 000004
【図３】
2010046801.tif 000005
【図４】
2010046801.tif 000006
【図５】
2010046801.tif 000007
【図６】
2010046801.tif 000008
【図７】
2010046801.tif 000009
【図８】
2010046801.tif 000010